【手続補正書】
【提出日】平成17年7月14日(2005.7.14)
【手続補正１】
【補正対象書類名】明細書
【補正対象項目名】発明の名称
【補正方法】変更
【補正の内容】
【発明の名称】情報処理装置、情報処理方法、情報処理プログラムおよび情報処理システム
【手続補正２】
【補正対象書類名】明細書
【補正対象項目名】特許請求の範囲
【補正方法】変更
【補正の内容】
【特許請求の範囲】
【請求項１】
情報信号に関する関連情報を検出するための検出用信号を取出して上記検出用信号に基づいてネットワークに接続されている他の装置と所定情報の通信をする情報処理装置において、
情報信号に対して繰り返し重畳されている同一の関連情報を検出するための検出用信号を取り出す検出用信号取り出し手段と、
上記検出用信号を他の装置に送信し、上記検出用信号から検出された関連情報に対する処理結果を受信する通信手段と、
上記処理結果を用いて上記情報信号の処理を制限するように制御する制御手段と、
上記処理結果を他の装置と通信可能に保存する保存手段と、
を備えたことを特徴とする情報処理装置。
【請求項２】
請求項１記載の情報処理装置において、
上記関連情報は、電子透かし処理により電子透かし情報として上記情報信号に重畳されることを特徴とする情報処理装置。
【請求項３】
請求項２記載の情報処理装置において、
上記検出用信号は、上記電子透かし情報を検出するためのコンテンツ情報であることを特徴とする情報処理装置。
【請求項４】
請求項２記載の情報処理装置において、
上記検出用信号は、上記電子透かし情報を検出するためのコンテンツ情報の中で検出に必要な要素を選択したものであることを特徴とする情報処理装置。
【請求項５】
請求項１記載の情報処理装置において、
上記制御手段は、上記処理結果に基づいて、上記情報信号に対する処理を実行するための条件の不備が検出されたときに警告を発生することを特徴とする情報処理装置。
【請求項６】
請求項１記載の情報処理装置において、
上記制御手段は、上記処理結果に基づいて、上記情報信号に対する処理を実行するための条件の不備が検出されたときに警告を発生する際にその検出回数に応じて警告を変化して発生することを特徴とする情報処理装置。
【請求項７】
請求項１記載の情報処理装置において、
上記制御手段は、上記処理結果に基づいて、上記情報信号に対する処理を実行するための条件の不備が検出されたときにその検出回数に応じて上記情報信号に対する処理の機能に制限を加えることを特徴とする情報処理装置。
【請求項８】
請求項１記載の情報処理装置において、
上記制御手段は、上記保存手段に保存された処理結果に基づいて、上記情報信号に対する処理を実行するための条件の不備が検出されたときに上記情報信号に対する次回の処理を停止することを特徴とする情報処理装置。
【請求項９】
請求項８記載の情報処理装置において、
上記制御手段は、上記保存手段に保存された処理結果に基づいて、上記情報信号に対する処理を実行するための条件の不備が検出されたときに他の装置における上記情報信号に対する処理の機能に制限を加えることを特徴とする情報処理装置。
【請求項１０】
請求項２記載の情報処理装置において、
上記検出用信号は、上記電子透かし情報を検出するためのコンテンツ情報の特徴量または上記特徴量抽出のためのコンテンツ情報であることを特徴とする情報処理装置。
【請求項１１】
請求項１記載の情報処理装置において、
上記制御手段が、上記処理結果に基づいて、上記情報信号に対する処理を実行するための条件の不備が検出されたときに警告を発生する際にその検出回数に応じて警告を変化して発生したとき、
上記通信手段による上記その他の装置との通信結果に基づいて、上記その他の装置が上記警告を解除することを特徴とする情報処理装置。
【請求項１２】
請求項１記載の情報処理装置において、
上記制御手段が、上記処理結果に基づいて、上記情報信号に対する処理を実行するための条件の不備が検出されたときにその検出回数に応じて上記情報信号に対する処理の機能に制限を加えるとき、
上記通信手段による上記その他の装置との通信結果に基づいて、上記その他の装置が上記制限を緩和することを特徴とする情報処理装置。
【請求項１３】
請求項１１記載の情報処理装置において、
上記通信手段による上記その他の装置との通信は、上記処理を実行するための条件の不備が検出された上記情報信号、または上記情報信号の供給源の情報を上記その他の装置へ送信するものであることを特徴とする情報処理装置。
【請求項１４】
請求項１２記載の情報処理装置において、
上記通信手段による上記その他の装置との通信は、上記情報信号に対する処理を実行するための条件の不備が検出された上記情報信号、または上記情報信号の供給源の情報を上記その他の装置へ送信するものであることを特徴とする情報処理装置。
【請求項１５】
請求項１記載の情報処理装置において、
上記情報信号の供給源は、記録媒体、またはネットワークを介してその他の装置から送信されるものであることを特徴とする情報処理装置。
【請求項１６】
請求項１５記載の情報処理装置において、
上記情報信号の供給源が記録媒体のとき、上記記録媒体の種類に応じて、上記制御手段が上記情報信号に対する処理の機能に制限を加えることを特徴とする情報処理装置。
【請求項１７】
請求項１記載の情報処理装置において、
上記情報信号の供給源がネットワークを介してその他の装置から送信されるとき、上記検出用信号取り出し手段は、所定のパラメータの設定に応じて検出用信号を取り出すことを特徴とする情報処理装置。
【請求項１８】
請求項１７記載の情報処理装置において、
上記所定のパラメータは、上記検出用信号に基づく関連情報の検出への寄与率が高い部分を選択的に設定することを特徴とする情報処理装置。
【請求項１９】
請求項１７記載の情報処理装置において、
上記所定のパラメータは、上記関連情報の周波数帯域を通過させる周波数帯域フィルタを設定することを特徴とする情報処理装置。
【請求項２０】
請求項１７記載の情報処理装置において、
上記所定のパラメータは、上記関連情報が重畳された情報信号の再生時刻の範囲を設定することを特徴とする情報処理装置。
【請求項２１】
請求項１７記載の情報処理装置において、
上記所定のパラメータは、上記関連情報が重畳された情報信号の再生映像のフレームまたはフィールドの範囲を設定することを特徴とする情報処理装置。
【請求項２２】
請求項１７記載の情報処理装置において、
上記所定のパラメータは、上記関連情報が重畳された情報信号の再生映像の画素範囲を設定することを特徴とする情報処理装置。
【請求項２３】
請求項１７記載の情報処理装置において、
上記所定のパラメータは、上記関連情報が重畳された情報信号の再生信号レベルの範囲を設定することを特徴とする情報処理装置。
【請求項２４】
請求項１７記載の情報処理装置において、
上記所定のパラメータは、上記関連情報が重畳された情報信号の帯域分離された再生信号レベルの範囲を設定することを特徴とする情報処理装置。
【請求項２５】
請求項１７記載の情報処理装置において、
上記所定のパラメータは、上記関連情報が重畳された情報信号の圧縮符号化時の変換係数を選択的に設定することを特徴とする情報処理装置。
【請求項２６】
請求項２５記載の情報処理装置において、
上記所定のパラメータは、上記関連情報が重畳された情報信号のＭＰＥＧ−２規格に準拠した圧縮符号化時のＧＯＰ構造のＩピクチャーを選択的に設定することを特徴とする情報処理装置。
【請求項２７】
情報信号に関する関連情報を検出するための検出用信号を取出して上記検出用信号に基づいてネットワークに接続されている他の装置と所定情報の通信をする情報処理方法において、
情報信号に対して繰り返し重畳されている同一の関連情報を検出するための検出用信号を取り出す検出用信号取り出しステップと、
上記検出用信号を他の装置に送信し、上記検出用信号から検出された関連情報に対する処理結果を受信する通信ステップと、
上記処理結果を用いて上記情報信号の処理を制限するように制御する制御ステップと、
上記処理結果を他の装置と通信可能に保存する保存ステップと、
を備えたことを特徴とする情報処理方法。
【請求項２８】
請求項２７記載の情報処理方法において、
上記関連情報は、電子透かし処理により電子透かし情報として上記情報信号に重畳されることを特徴とする情報処理方法。
【請求項２９】
請求項２８記載の情報処理方法において、
上記検出用信号は、上記電子透かし情報を検出するためのコンテンツ情報であることを特徴とする情報処理方法。
【請求項３０】
請求項２８記載の情報処理方法において、
上記検出用信号は、上記電子透かし情報を検出するためのコンテンツ情報の中で検出に必要な要素を選択したものであることを特徴とする情報処理方法。
【請求項３１】
情報信号に関する関連情報を検出するための検出用信号を取出して上記検出用信号に基づいてネットワークに接続されている他の装置と所定情報の通信をするための情報処理プログラムであって、コンピュータを、
情報信号に対して繰り返し重畳されている同一の関連情報を検出するための検出用信号を取り出す検出用信号取り出し手段と、
上記検出用信号を他の装置に送信し、上記検出用信号から検出された関連情報に対する処理結果を受信する通信手段と、
上記処理結果を用いて上記情報信号の処理を制限するように制御する制御手段と、
上記処理結果を他の装置と通信可能に保存する保存手段と、
として機能させるための情報処理プログラム。
【請求項３２】
請求項３１記載の情報処理プログラムにおいて、
上記関連情報は、電子透かし処理により電子透かし情報として上記情報信号に重畳されることを特徴とする情報処理プログラム。
【請求項３３】
請求項３２記載の情報処理プログラムにおいて、
上記検出用信号は、上記電子透かし情報を検出するためのコンテンツ情報であることを特徴とする情報処理プログラム。
【請求項３４】
請求項３２記載の情報処理プログラムにおいて、
上記検出用信号は、上記電子透かし情報を検出するためのコンテンツ情報の中で検出に必要な要素を選択したものであることを特徴とする情報処理プログラム。
【請求項３５】
情報信号に関する関連情報を検出するための検出用信号を取出して上記検出用信号に基づいてネットワークに接続されている他の装置と所定情報の通信をする情報処理装置と、上記情報処理装置とネットワークを介して接続されている他の装置とを有する情報処理システムにおいて、
情報信号に対して繰り返し重畳されている同一の関連情報を検出するための検出用信号を取り出す検出用信号取り出し手段と、
上記検出用信号を他の装置に送信し、上記検出用信号から検出された関連情報に対する処理結果を受信する通信手段と、
上記処理結果を用いて上記情報信号の処理を制限するように制御する制御手段と、
上記処理結果を他の装置と通信可能に保存する保存手段と、
を有する情報処理装置と、
上記情報処理装置から上記検出用信号を受信し、上記処理結果を上記情報処理装置へ送信する通信手段と、
上記検出用信号から関連情報を検出し、上記関連情報に基づく処理結果を得る検出手段と、
上記情報処理装置における上記情報信号の処理の制限を解除または緩和する解除手段を有するその他の装置と、
を備えた情報処理システム。
【手続補正３】
【補正対象書類名】明細書
【補正対象項目名】００３４
【補正方法】変更
【補正の内容】
【００３４】
また、本発明の情報処理プログラムは、情報信号に関する関連情報を検出するための検出用信号を取出して上記検出用信号に基づいてネットワークに接続されている他の装置と所定情報の通信をするための情報処理プログラムであって、コンピュータを、情報信号に対して繰り返し重畳されている同一の関連情報を検出するための検出用信号を取り出す検出用信号取り出し手段と、上記検出用信号を他の装置に送信し、上記検出用信号から検出された関連情報に対する処理結果を受信する通信手段と、上記処理結果を用いて上記情報信号の処理を制限するように制御する制御手段と、上記処理結果を他の装置と通信可能に保存する保存手段と、として機能させるためのものである。
また、本発明の情報処理システムは、情報信号に関する関連情報を検出するための検出用信号を取出して上記検出用信号に基づいてネットワークに接続されている他の装置と所定情報の通信をする情報処理装置と、上記情報処理装置とネットワークを介して接続されている他の装置とを有する情報処理システムにおいて、情報信号に対して繰り返し重畳されている同一の関連情報を検出するための検出用信号を取り出す検出用信号取り出し手段と、上記検出用信号を他の装置に送信し、上記検出用信号から検出された関連情報に対する処理結果を受信する通信手段と、上記処理結果を用いて上記情報信号の処理を制限するように制御する制御手段と、上記処理結果を他の装置と通信可能に保存する保存手段を有する情報処理装置と、上記情報処理装置から上記検出用信号を受信し、上記処理結果を上記情報処理装置へ送信する通信手段と、上記検出用信号から関連情報を検出し、上記関連情報に基づく処理結果を検出する検出手段と、上記情報処理装置における上記情報信号の処理の制限を解除または緩和する解除手段を有するその他の装置と、を備えたものである。